(57)【要約】【課題】作業者の墜落の可能性を限りなく低減することが可能な妻側先行手摺りを提供する。【解決手段】本発明の妻側先行手摺り１０は、両端に係止部１１０が設けられた上側手摺り部材１００と、両端に係止部２１０が設けられた下側手摺り部材２００と、前記上側手摺り部材１００と前記下側手摺り部材２００の一方端側と他方端側で、前記上側手摺り部材１００と前記下側手摺り部材２００のそれぞれに対して回動するように取り付けられた一対の軸部材４００と、前記一対の軸部材４００のそれぞれに設けられ、係止部６１０を含むフック部材６００を保持し、それぞれの前記軸部材の軸を中心に回転する保持部材５００と、からなることを特徴とする。【選択図】  図１０
2019015125.tif 000002
【特許請求の範囲】
【請求項１】
両端に係止部が設けられた上側手摺り部材と、
両端に係止部が設けられた下側手摺り部材と、
前記上側手摺り部材と前記下側手摺り部材の一方端側と他方端側で、前記上側手摺り部材と前記下側手摺り部材のそれぞれに対して回動するように取り付けられた一対の軸部材と、
前記一対の軸部材のそれぞれに設けられ、係止部を含むフック部材を保持し、それぞれの前記軸部材の軸を中心に回転する保持部材と、からなることを特徴とする妻側先行手摺り。
【請求項２】
前記上側手摺り部材及び前記下側手摺り部材の両端に設けられた係止部は、シャフト部と前記シャフト部から延出する円錐台部からなり、前記シャフト部には折り曲げ部が形成されることを特徴とする請求項１に記載の妻側先行手摺り。
【請求項３】
前記折り曲げ部における折り曲げ方向が、前記上側手摺り部材及び前記下側手摺り部材の端部から中央部に向かう方向であることを特徴とする請求項２に記載の妻側先行手摺り。
【請求項４】
前記保持部材は前記軸部材から延出する延出板部を有しており、
前記フック部材は、前記延出板部に対して変位可能な状態、かつ、前記延出板部に対して取り外し不能な状態で、前記延出板部に保持されることを特徴とする請求項１乃至請求項３のいずれか１項に記載の妻側先行手摺り。
【請求項５】
前記フック部材がバネ部材により付勢されることを特徴とする請求項１乃至請求項４のいずれか１項に記載の妻側先行手摺り。
【発明の詳細な説明】
【技術分野】
【０００１】
本発明は、本発明は、建設現場等の足場用の手摺りであり、特に、仮設足場を構築するに際し、足場の妻側において、上層作業床を設置する前に下層作業床から上層に設置される妻側先行手摺りに関する。
【背景技術】
【０００２】
従来、建設現場等における仮設足場の構築に関して、作業者の安全のため、手摺り先行工法が推奨されている。このような工法で用いる先行手摺りとしては、例えば、引用文献１（特開２０１０−２２９７００号公報）には、楔緊結式の足場を仮設するにあたり、足場の妻側端部に上段側足場の先行手摺りとして取り付ける妻側先行手摺りであって、水平材と、水平材の両端部に夫々一端部が枢着されて、互いに交差する一対の斜材とからなり、水平材と斜材との各枢着端部には水平材側端部又は斜材側端部に、支柱の楔孔付きフランジに係止可能な係止部材を設け、各斜材の他端部には、足場板幅方向に対向する支柱間に横架される横ステーに係止可能な係止フックを設けてなる妻側先行手摺りが開示されている。
【特許文献１】特開２０１０−２２９７００号公報
【発明の概要】
【発明が解決しようとする課題】
【０００３】
従来技術によれば、一対の斜材からなる交さ筋かいにより作業者の落下防止が図られているが、前記交さ筋かいのすき間からの墜落の可能性を完全に無くすことができない、という問題があった。
【０００４】
また、厚生労働省労働局・労働基準監督署により施行されている労働安全衛生規則（足場等関係）によれば、足場等からの墜落防止措置としては、「高さ８５センチメートル以上の手摺り」に加え「中さん等」を設けることとされているが、従来技術に係るものは、このような規則に対応していない、という問題もあった。
【課題を解決するための手段】
【０００５】
上記のような問題を解決するために、本発明に係る妻側先行手摺りは、両端に係止部が設けられた上側手摺り部材と、両端に係止部が設けられた下側手摺り部材と、前記上側手摺り部材と前記下側手摺り部材の一方端側と他方端側で、前記上側手摺り部材と前記下側手摺り部材のそれぞれに対して回動するように取り付けられた一対の軸部材と、前記一対の軸部材のそれぞれに設けられ、係止部を含むフック部材を保持し、それぞれの前記軸部材の軸を中心に回転する保持部材と、からなることを特徴とする。
【０００６】
また、本発明に係る妻側先行手摺りは、前記上側手摺り部材及び前記下側手摺り部材の両端に設けられた係止部は、シャフト部と前記シャフト部から延出する円錐台部からなり、前記シャフト部には折り曲げ部が形成されることを特徴とする。
【０００７】
また、本発明に係る妻側先行手摺りは、前記折り曲げ部における折り曲げ方向が、前記上側手摺り部材及び前記下側手摺り部材の端部から中央部に向かう方向であることを特徴とする。
【０００８】
また、本発明に係る妻側先行手摺りは、前記保持部材は前記軸部材から延出する延出板部を有しており、前記フック部材は、前記延出板部に対して変位可能な状態、かつ、前記延出板部に対して取り外し不能な状態で、前記延出板部に保持されることを特徴とする。
【０００９】
また、本発明に係る妻側先行手摺りは、前記フック部材がバネ部材により付勢されることを特徴とする。
【発明の効果】
【００１０】
本発明に係る妻側先行手摺りは、上側手摺り部材と下側手摺り部材とから構成されており、このような本発明に係る妻側先行手摺りによれば、作業者の墜落の可能性を限りなく低減することが可能となる。
【００１１】
また、本発明に係る妻側先行手摺りによれば、厚生労働省労働局・労働基準監督署により施行されている労働安全衛生規則（足場等関係）の足場等からの墜落防止措置としての規定である「高さ８５センチメートル以上の手摺り」に加え「中さん等」を設けることと、という規則を遵守することが可能となる。
【００１２】
また、本発明に係る妻側先行手摺りによれば、妻部においても、下層作業床から先行して手摺りをかけることができるので、例え、仮に作業者が安全帯の取り付けを忘れてしまったような場合でも、作業者の妻部からの墜落を防止することができる。
【図面の簡単な説明】
【００１３】
【図１】本発明の実施形態に係る妻側先行手摺り１０の分解斜視図である。
【図２】本発明の実施形態に係る妻側先行手摺り１０の斜視図である。
【図３】本発明の実施形態に係る妻側先行手摺り１０の正面図である。
【図４】係止部１１０及び係止部２１０を抜き出して示す図である。
【図５】本発明の実施形態に係る妻側先行手摺り１０を折り畳んだ状態を示す図である。
【図６】本発明の実施形態に係る妻側先行手摺り１０の保持部材５００を説明する図である。
【図７】本発明の実施形態に係る妻側先行手摺り１０の支柱１への取り付け工程を説明する図である。
【図８】本発明の実施形態に係る妻側先行手摺り１０の支柱１への取り付け工程を説明する図である。
【図９】本発明の実施形態に係る妻側先行手摺り１０の支柱１への取り付け工程を説明する図である。
【図１０】本発明の実施形態に係る妻側先行手摺り１０の支柱１への取り付け工程を説明する図である。
【図１１】本発明の実施形態に係る妻側先行手摺り１０による足場の構築例を示す図である。
【図１２】本発明の実施形態に係る妻側先行手摺り１０による足場の構築例を示す図である。
【発明を実施するための形態】
【００１４】
以下、本発明の実施の形態を図面を参照しつつ説明する。図１は本発明の実施形態に係る妻側先行手摺り１０の分解斜視図であり、また、図２は本発明の実施形態に係る妻側先行手摺り１０の斜視図であり、また、図３は本発明の実施形態に係る妻側先行手摺り１０の正面図である。
【００１５】
上側手摺り部材１００は、本発明に係る妻側先行手摺り１０が支柱１に取り付けられたとき、上側の手摺りとなる部材であり、前記規則で規定されている「高さ８５センチメートル以上の手摺り」となる部材である。
【００１６】
一方、下側手摺り部材２００は、本発明に係る妻側先行手摺り１０が支柱１に取り付けられたとき、下側の手摺りとなる部材であり、前記規則で規定されている「中さん等」となる部材である。
【００１７】
上側手摺り部材１００の両端には、係止部１１０が設けられている。また、下側手摺り部材２００の両端には、係止部２１０が設けられている。本明細書では、「係止部」は足場を構成する支柱１に一定間隔で設けられているフランジ３に形成された孔５に挿通される部材であるものと定義する。なお、足場に用いられる支柱１などの図面については、図７以降の図面を参照されたい。
【００１８】
上側手摺り部材１００や下側手摺り部材２００は、所定の剛性を有する金属材料で構成すれば、どのような金属材料を用いてもよいが、矩形断面を有する中空のアルミニウム材料を用いると、本発明に係る妻側先行手摺り１０を軽量に構成することができ好ましい。また、係止部１１０や係止部２１０も、所定の剛性を有する金属材料で構成すれば、どのような金属材料を用いてもよいが、支柱１のフランジ３に形成された孔５に挿通されるものであるので、例えば、鉄で構成することが好ましい。
【００１９】
ここで、係止部１１０や係止部２１０の構成をより詳しく説明する。図４（Ａ）は係止部１１０を抜き出して示す図であり、図４（Ｂ）は係止部２１０を抜き出して示す図である。
【００２０】
係止部１１０は、シャフト部１１２と、このシャフト部１１２から延出する円錐台部１１５ととから構成されている。ここで、シャフト部１１２には図示するように、折り曲げ部１１７が設けられている。この折り曲げ部１１７の折り曲げ方向は、上側手摺り部材１００の端部から中央部に向かう方向とされている。このため、図３でみて、係止部１１０は上側手摺り部材１００から垂直下方に延出するのではなく、係止部１１０は上側手摺り部材１００から、上側手摺り部材１００の中央部にわずかに向かうようにして延出する。
【００２１】
上記のような折り曲げ部１１７の効果について説明する。上側手摺り部材１００の両端の係止部１１０は、折り曲げ部１１７が形成されるによって、上側手摺り部材１００の中央部方向にわずかに向かうようにして延出しているが、これにより、係止部１１０が支柱１のフランジ３に形成された孔５にいったん挿通された後には、係止部１１０はフランジ３の孔５から抜け難いようになっている。このようにして、妻側先行手摺り１０が、支柱１から脱落する可能性をより低減している。
【００２２】
同様に、係止部２１０は、シャフト部２１２と、このシャフト部２１２から延出する円錐台部２１５とから構成されている。また、シャフト部２１２にも、シャフト部１１２の場合と同様の折り曲げ部２１７が構成されている。このような折り曲げ部２１７による効果も、折り曲げ部１１７と同様である。
【００２３】
折り曲げ部が構成される点で、両者の係止部は共通しているが、ここで、係止部１１０と係止部２１０で両者が相違する点について説明する。図４（Ａ）における長さＬ１は係止部１１０が上側手摺り部材１００から延出する長さであり、図４（Ｂ）における長さＬ２は係止部２１０が下側手摺り部材２００から延出する長さである。
【００２４】
下側手摺り部材２００から延出する長さＬ２は、上側手摺り部材１００から延出する長さＬ１より短くなるように設定されている。このように設定される理由について説明する。
【００２５】
同じ側の端部に設けられている上側手摺り部材１００の係止部１１０と、下側手摺り部材２００の係止部２１０は、ほぼ同時にそれぞれ対応するフランジ３の孔５に挿通する必要がある。仮に、下側手摺り部材２００から延出する長さＬ２が、上側手摺り部材１００の長さＬ１と、同様程度に設定されているとすると、このような挿通作業を行う際、係止部１１０と係止部２１０の孔５への挿通が困難となる。このような理由により、（長さＬ２）＜（長さＬ１）とされている。
【００２６】
さて、上記のような上側手摺り部材１００及び下側手摺り部材２００に対して、環状連結部材３００が利用されることで、一対の軸部材４００が取り付けられている。
【００２７】
環状連結部材３００は環状部３１０を有しており、この環状部３１０の内径より、小径である軸部材４００が内通されることで、軸部材４００が環状連結部材３００に対して回転可能（図２参照）に保持されるようになっている。また、軸部材４００には、環状部３１０の上下に抜け止め凸部４１０が設けられており、軸部材４００が環状連結部材３００から脱落しないようになっている。
【００２８】
上記のような環状連結部材３００は、１つの軸部材４００の上下２箇所に設けられている。上側の環状連結部材３００は、上側手摺り部材１００への取り付けに利用され、下側の環状連結部材３００は、下側手摺り部材２００に利用される。
【００２９】
環状連結部材３００の環状部３１０には、垂直延出シャフト部３２０が設けられており、垂直延出シャフト部３２０の先端側には螺刻部３２５が設けられている。
【００３０】
また、上側手摺り部材１００には２つの貫通孔１３０が設けられ、下側手摺り部材２００には２つの貫通孔２３０が設けられている。
【００３１】
一方の軸部材４００の上下の垂直延出シャフト部３２０は、一方端側で上側手摺り部材１００の貫通孔１３０及び下側手摺り部材２００の貫通孔２３０に挿通され、ロックナット３４０に締結される。このとき、図示するように、ナイロンワッシャー３３０が垂直延出シャフト部３２０に挿通される。
【００３２】
垂直延出シャフト部３２０は、貫通孔１３０、貫通孔２３０より小径であり、従って、軸部材４００は、一方端側において、上側手摺り部材１００及び下側手摺り部材２００のそれぞれに対して回動可能に取り付けられることになる。
【００３３】
また、他方の軸部材４００の上下の垂直延出シャフト部３２０は、他方端側で上側手摺り部材１００の貫通孔１３０及び下側手摺り部材２００の貫通孔２３０に挿通され、ロックナット３４０に締結される。このとき、図示するように、ナイロンワッシャー３３０が垂直延出シャフト部３２０に挿通される。そして、他方端側においても、上側手摺り部材１００及び下側手摺り部材２００のそれぞれに対して回動可能に取り付けられることになる。
【００３４】
なお、軸部材４００を構成するためには鉄パイプなどの汎用部品を利用することで、本発明に係る妻側先行手摺り１０を安価に製造することが可能となる。また、本発明に係る妻側先行手摺り１０においては、前述のように合成樹脂製のナイロンワッシャー３３０が用いられているために、妻側先行手摺り１０を折り畳む際や、折り畳まれた妻側先行手摺り１０を展開する際、或いは、妻側先行手摺り１０を足場の支柱１に取り付ける際には、アソビができ、スムースにこれらの動作を行いやすい。
【００３５】
上側手摺り部材１００と下側手摺り部材２００と、２つの軸部材４００の関係をまとめると、図３のａ、ｂ、ｃ、ｄを中心に互いに回動可能なリンク機構を構成しているものと理解することができる。本発明に係る妻側先行手摺り１０は、このようなリンク機構を有するために、運搬の際などには折り畳むことが可能となる。図５は本発明の実施形態に係る妻側先行手摺り１０を折り畳んだ状態を示す図である。このように折り畳む際に、可能な限りコンパクトな構成とするために、下側手摺り部材２００には、上側手摺り部材１００の係止部１１０が挿通される折り畳み時係止部挿通孔２７０が２つ設けられている。このような折り畳み時係止部挿通孔２７０が設けられているために、折り畳み時において、図５の一点鎖線内に示されるように、下側手摺り部材２００に上側手摺り部材１００の係止部１１０が貫通し、コンパクトな構成とすることができる。なお、折り畳み時係止部挿通孔２７０が２つ設けられているのは、妻側先行手摺り１０を、折り畳む際に、どちらの方向に折り畳んでもよいようにするためである。
【００３６】
２つの軸部材４００の端部には、保持部材５００が設けられており、これらの保持部材５００が、軸部材４００の回転に伴い、図２に示すように回転するようになっている。ここで、本発明に係る妻側先行手摺り１０を実施するためには、必ずしも軸部材４００が回転する必要はない。要は、保持部材５００のみが軸部材４００の周りを回転するようにも構成することができる。
【００３７】
次に、保持部材５００についてより詳細に説明する。図６は本発明の実施形態に係る妻側先行手摺り１０の保持部材５００を説明する図である。本発明における保持部材５００は、フランジ３の孔５に挿通される係止部６１０を含むフック部材６００を、取り外し不能な状態で保持していることを大きな特徴としている。
【００３８】
図６（Ｃ）はフック部材６００を抜き出して示す図である。このフック部材６００は、図６（Ａ）、（Ｂ）に示されるように、保持部材５００中に取り付けられている。
【００３９】
フック部材６００は、略Ｊ字上の鉄製の部材である。フック部材６００は、第１垂直シャフト部６３０と、この第１垂直シャフト部６３０から延出する第１屈曲部６３１と、この第１屈曲部６３１から延出する水平シャフト部６３２と、この水平シャフト部６３２から延出する第２垂直シャフト部６３４と、この第２垂直シャフト部６３４から延出する円錐台部６３５とから構成されている。第２垂直シャフト部６３４と円錐台部６３５とが、フランジ３の孔５に挿通される係止部６１０に供される。
【００４０】
また、フック部材６００の第１垂直シャフト部６３０の端部近傍には、抜け止め凸部６４０が設けられている。このようなフック部材６００は、軸部材４００の軸方向に対して垂直に延出している延出板部５１０に取り付けられている。より具体的には、フック部材６００は、延出板部５１０に対して、変位可能な状態、かつ、前記延出板部５１０に対して取り外し不能な状態で、取り付けられている。この延出板部５１０は鉄などの金属材料であり、軸部材４００に対して溶接などで設け得るものである。
【００４１】
次に、フック部材６００がどのように延出板部５１０に対して取り付けられているかを図６（Ａ）、（Ｂ）を参照して説明する。
【００４２】
延出板部５１０は、第１面５１１と、この第１面５１１の表裏の関係にある第２面５１２を有している。この第１面５１１側には、軸部材４００から延出している延出板部５１０の強度を増すために補強リブ５１５が設けられている。
【００４３】
延出板部５１０の第２面５１２側には、円筒部５３５が設けられている。第１貫通孔５３０は、第１面５１１の延出板部５１０から、第２面５１２側の円筒部５３５へと貫通する孔である。円筒部５３５が設けられているために第１貫通孔５３０の貫通孔の長さは、後述する第２貫通孔５４０より長く、従って、フック部材６００を延出板部５１０に対して持ち上げて変位させる際などに、フック部材６００がばたつくことを防止できる。
【００４４】
上記の第１貫通孔５３０に、フック部材６００の第１垂直シャフト部６３０が挿通される状態で、フック部材６００は延出板部５１０に取り付けられている。また、第１貫通孔５３０の内径は、第１垂直シャフト部６３０の外径より大きく設定されている。
【００４５】
さらに、円筒部５３５と、フック部材６００の抜け止め凸部６４０との間には、圧縮状態のバネ部材６５０が配されている。これにより、バネ部材６５０は図６（Ａ）の矢印に示すように、各構成を付勢している。
【００４６】
延出板部５１０の端部側には、第１面５１１から第２面５１２に貫通する第２貫通孔５４０が設けられている。この第２貫通孔５４０に、フック部材６００の係止部６１０が挿入される。第２貫通孔５４０の内径は、第２垂直シャフト部６４の外径より大きく設定されている。
【００４７】
図６（Ａ）は、フック部材６００の係止部６１０が第２貫通孔５４０に挿入されている状態を示している。本発明に係る妻側先行手摺り１０を、支柱１に取り付けた際には、この状態とされる。このとき、フランジ３の孔５には、フック部材６００の第２垂直シャフト部６３４が挿通された状態となる。また、フック部材６００と延出板部５１０との間で形成される閉空間Ｒに、フランジ３の端部が配される状態となる。さらに、バネ部材６５０が、図６（Ａ）の矢印に示すような付勢力を付与するので、フック部材６００がフランジ３の孔５から脱落する可能性は皆無となる。
【００４８】
図６（Ｂ）は、バネ部材６５０の付勢力に抗して、フック部材６００を持ち上げた状態を示す図である。このような状態とした上で、点線を中心として回転させることにより、フランジ３の孔５にフック部材６００を挿通させたり、或いは、フック部材６００をフランジ３の孔５から引き抜いたりすることが可能となる。
【００４９】
次に、以上のような本発明に係る妻側先行手摺り１０の支柱１への取り付けについて説明する。図７乃至図１０は本発明の実施形態に係る妻側先行手摺り１０の支柱１への取り付け工程を、順を追って説明する図である。
【００５０】
図７乃至図１０において、２本の支柱１の間が足場の妻部である。紙面奥側が足場内であり、紙面手前側が足場外である。支柱１に配されているそれぞれのフランジ３の近傍には、点線の囲み内にフランジ３の上面図を示している。このような上面図により、フランジ３の孔５のうちどの孔５に係止部が挿通されているかを示すようにする。係止部が挿通されている孔５には、黒丸が示される。なお、囲み内の上面図のフランジ３の下側の孔５が、図７乃至図１０の本図中における手前側の孔５に対応している。
【００５１】
また、図７乃至図１０において、それぞれの支柱１にフランジ３は３つ示されており、上から上段のフランジ３、中段のフランジ３、下段のフランジ３と称することとする。
【００５２】
まず、図７の工程では、一方の支柱１の上段のフランジ３、中段のフランジ３にそれぞれ、上側手摺り部材１００の係止部１１０、下側手摺り部材２００の係止部２１０を挿通させる。
【００５３】
続く図８の工程では、他方の支柱１の上段のフランジ３、中段のフランジ３にそれぞれ、上側手摺り部材１００の係止部１１０、下側手摺り部材２００の係止部２１０を挿通させる。
【００５４】
図９の工程では、軸部材４００を回転させることで、保持部材５００を回転させると共に、保持部材５００のフック部材６００を持ち上げる。
【００５５】
図１０の工程では、持ち上げたフック部材６００を解放し、フック部材６００の係止部６１０を、下段のフランジ３の手前側の孔５、及び、延出板部５１０の第２貫通孔５４０にそれぞれ挿通させる。以上のような一連の工程で、本発明に係る妻側先行手摺り１０の支柱１への取り付けが完了する。支柱１から本発明に係る妻側先行手摺り１０を取り外す場合は、図７乃至図１０の工程を逆にたどることで、これを行うことができる。
【００５６】
次に、以上のような本発明に係る妻側先行手摺り１０によって、墜落などの危険がない安全な足場を構築する方法について説明する。図１１及び図１２は本発明の実施形態に係る妻側先行手摺り１０による足場の構築例を順を追って示す図である。
【００５７】
図１１は、作業者が、上層作業床を設置する前に下層作業床から、上層の手摺りを設置している様子を示している。前踏み側、及び後踏み側には、従来より用いられる先行手摺り７が設置される。一方、妻側には、本発明に係る妻側先行手摺り１０を設置する。続く、図１２は、上層作業床として布板９が張られた様子を示している。このような手摺り先行工法を用いた足場構築によれば、作業者が例え仮に安全帯を取り付け忘れたような場合においても、墜落の危険性は極めて低い。
【００５８】
以上、本発明に係る妻側先行手摺り１０は、上側手摺り部材１００と下側手摺り部材２００とから構成されており、このような本発明に係る妻側先行手摺り１０によれば、作業者の墜落の可能性を限りなく低減することが可能となる。
【００５９】
また、本発明に係る妻側先行手摺り１０によれば、厚生労働省労働局・労働基準監督署により施行されている労働安全衛生規則（足場等関係）の足場等からの墜落防止措置としての規定である「高さ８５センチメートル以上の手摺り」（上側手摺り部材１００が相当）に加え「中さん等」（下側手摺り部材２００が相当）を設けることと、という規則を遵守することが可能となる。
【００６０】
また、本発明に係る妻側先行手摺り１０によれば、妻部においても、下層作業床から先行して手摺りをかけることができるので、例え、仮に作業者が安全帯の取り付けを忘れてしまったような場合でも、作業者の妻部からの墜落を防止することができる。
【００６１】
なお、本発明の先行手摺りの技術については、妻側に用いることに限定されるものではなく、必要に応じて、本発明の先行手摺りは、前踏み側及び後踏み側に適用され得るものである。
【符号の説明】
【００６２】
１・・・支柱
３・・・フランジ
５・・・孔
７・・・先行手摺り
９・・・布板
１０・・・妻側先行手摺り
１００・・・上側手摺り部材
１１０・・・係止部
１１２・・・シャフト部
１１５・・・円錐台部
１１７・・・折り曲げ部
１３０・・・貫通孔
２００・・・下側手摺り部材
２１０・・・係止部
２１２・・・シャフト部
２１５・・・円錐台部
２１７・・・折り曲げ部
２３０・・・貫通孔
２７０・・・折り畳み時係止部挿通孔
３００・・・環状連結部材
３１０・・・環状部
３２０・・・垂直延出シャフト部
３２５・・・螺刻部
３３０・・・ナイロンワッシャー
３４０・・・ロックナット
４００・・・軸部材
４１０・・・抜け止め凸部
５００・・・保持部材
５１０・・・延出板部
５１１・・・第１面
５１２・・・第２面
５１５・・・補強リブ
５３０・・・第１貫通孔
５３５・・・円筒部
５４０・・・第２貫通孔
６００・・・フック部材
６１０・・・係止部
６３０・・・第１垂直シャフト部
６３１・・・第１屈曲部
６３２・・・水平シャフト部
６３３・・・第２屈曲部
６３４・・・第２垂直シャフト部
６３５・・・円錐台部
６４０・・・抜け止め凸部
６５０・・・バネ部材
【図１】
2019015125.tif 000003
【図２】
2019015125.tif 000004
【図３】
2019015125.tif 000005
【図４】
2019015125.tif 000006
【図５】
2019015125.tif 000007
【図６】
2019015125.tif 000008
【図７】
2019015125.tif 000009
【図８】
2019015125.tif 000010
【図９】
2019015125.tif 000011
【図１０】
2019015125.tif 000012
【図１１】
2019015125.tif 000013
【図１２】
2019015125.tif 000014